(57)【要約】      （修正有）【課題】施設内の物流動線を容易に計画及び確認することが可能な施設内物流経路計画支援システムを提供する。【解決手段】施設の諸室・設備及び物流が発生する任意の日時に関する物流情報を入力する物流動線データ入力部１１と、施設の形状を入力する施設図面データ入力部１２と、入力画面を表示する表示部３１と、物流動線データ入力部１１から入力されたデータを格納する物流動線データベース２１と、施設図面データ入力部１２から入力された画像データを格納する施設図面データベース２２と、施設の諸室・設備をアイコン化して画像上に形成する通路ネットワーク描画部２３と、形成したアイコンを画像上に物流通路として利用可能な通路ネットワークを生成する通路ネットワークデータ生成部２４と、物流情報の動線を解析する動線解析部２５と、動線を経路図として表示する経路図作成部２６と、物品の動線距離を集計し表示する集計部２７と、を備える。【選択図】図１
2019003490.tif 000002
【特許請求の範囲】
【請求項１】
少なくとも対象とする施設の諸室・設備及び任意の物品と物流が発生する任意の日時に関する施設内の物流情報を入力する物流動線データ入力部と、
前記施設の形状が認識できる図面の画像データを入力する施設図面データ入力部と、
前記物流動線データ入力部及び前記施設図面データ入力部から入力する際の入力画面を表示する表示部と、
前記物流動線データ入力部から入力されたデータを格納する物流動線データベースと、
前記施設図面データ入力部から入力された画像データを格納する施設図面データベースと、
前記画像データの画像を前記表示部に表示させ前記施設の諸室・設備をアイコン化して前記画像上に形成する通路ネットワーク描画部と、
前記アイコンを前記画像上の的確な位置に配置させることで前記画像上に物流通路として利用可能な通路ネットワークを生成する通路ネットワークデータ生成部と、
前記物流情報を前記通路ネットワークに当てはめて前記施設内の動線を解析する動線解析部と、
前記動線解析部が解析した前記物品の動線を経路図として作成し前記表示部に表示する経路図作成部と、
前記動線解析部が解析した動線に基づいて前記物品の動線距離を集計し前記表示部に表示する集計部と、
を備える
ことを特徴とする施設内物流動線計画支援システム。
【請求項２】
前記施設が複数のフロアを有する場合、
前記施設図面データ入力部は、前記施設の形状が認識できる画像データをフロア毎に入力し、
前記通路ネットワーク描画部は、前記施設の各フロアの画像を位置合わせしながら、前記アイコンを前記各フロアの画像上に形成し、
前記動線解析部は、前記フロアを跨いで動線を解析する
ことを特徴とする請求項１に記載の施設内物流動線計画支援システム。
【請求項３】
前記集計部は、第１の施設で集計した距離と第２の施設で集計した距離を比較して前記表示部に出力することが可能である
ことを特徴とする請求項１又は２に記載の施設内物流動線計画支援システム。
【請求項４】
前記経路図作成部は、所定の時間に動線が重なる部分を他の部分と異なるように前記表示部に表示する
ことを特徴とする請求項１乃至３のいずれか１つに記載の施設内物流動線計画支援システム。
【発明の詳細な説明】
【技術分野】
【０００１】
本発明は、施設内の物流動線を計画する施設内物流動線計画支援システムに関する。
【背景技術】
【０００２】
従来、物流管理は、物流センターとネットワークを接続し、稼働状況を把握することで配送等を適切に行うシステムが開示されている（特許文献１参照）。また、施設内の物流管理は、物品の搬送を自動化し、職員の負担を軽減するシステムが開示されている（特許文献２参照）。
【先行技術文献】
【特許文献】
【０００３】
【特許文献１】特開２００４−１３３８０８号公報
【特許文献２】特開２００２−１０４６４７号公報
【発明の概要】
【発明が解決しようとする課題】
【０００４】
しかしながら、施設内の効率的な物流動線を計画する支援技術はこれまでほとんど考えられていなかった。したがって、関連部門の配置、各部門とエレベータ等の縦動線との位置関係等が考えられておらず、施設利用者と物流の動線あるいは清潔物と不潔物の動線が交錯するなどの不具合が生じる可能性があった。
【０００５】
本発明は、施設内の物流動線を容易に計画及び確認することが可能な施設内物流経路計画支援システムを提供することを目的とする。
【課題を解決するための手段】
【０００６】
本発明にかかる実施形態の施設内物流動線計画支援システムは、
少なくとも対象とする施設の諸室・設備及び任意の物品と物流が発生する任意の日時に関する施設内の物流情報を入力する物流動線データ入力部と、
前記施設の形状が認識できる図面の画像データを入力する施設図面データ入力部と、
前記物流動線データ入力部及び前記施設図面データ入力部から入力する際の入力画面を表示する表示部と、
前記物流動線データ入力部から入力されたデータを格納する物流動線データベースと、
前記施設図面データ入力部から入力された画像データを格納する施設図面データベースと、
前記画像データの画像を前記表示部に表示させ前記施設の諸室・設備をアイコン化して前記画像上に形成する通路ネットワーク描画部と、
前記アイコンを前記画像上の的確な位置に配置させることで前記画像上に物流通路として利用可能な通路ネットワークを生成する通路ネットワークデータ生成部と、
前記物流情報を前記通路ネットワークに当てはめて前記施設内の動線を解析する動線解析部と、
前記動線解析部が解析した前記物品の動線を経路図として作成し前記表示部に表示する経路図作成部と、
前記動線解析部が解析した動線に基づいて前記物品の動線距離を集計し前記表示部に表示する集計部と、
を備える
ことを特徴とする。
【０００７】
本発明にかかる実施形態の施設内物流動線計画支援システムでは、
前記施設が複数のフロアを有する場合、
前記施設図面データ入力部は、前記施設の形状が認識できる画像データをフロア毎に入力し、
前記通路ネットワーク描画部は、前記施設の各フロアの画像を位置合わせしながら、前記アイコンを前記各フロアの画像上に形成し、
前記動線解析部は、フロアを跨いで動線を解析する
ことを特徴とする。
【０００８】
本発明にかかる実施形態の施設内物流動線計画支援システムでは、
前記集計部は、第１の施設で集計した距離と第２の施設で集計した距離を比較して表示部に出力することが可能である
ことを特徴とする。
【０００９】
本発明にかかる実施形態の施設内物流動線計画支援システムでは、
前記経路図作成部は、所定の時間に動線が重なる部分を他の部分と異なるように前記表示部に表示する
ことを特徴とする。
【発明の効果】
【００１０】
本発明にかかる施設内物流経路計画支援システムによれば、施設内の物流経路を容易に計画及び確認することが可能となる。
【図面の簡単な説明】
【００１１】
【図１】本実施形態の施設内物流動線計画支援システムの概念図を示す。
【図２】本実施形態の施設内物流動線計画支援システムの施設内の物流情報の入力画面の一例を示す。
【図３】本実施形態の施設内物流動線計画支援システムに入力された施設の図面と入力された物流情報をもとに生成された施設の諸室・設備のアイコンの一例を示す。
【図４】本実施形態の施設内物流動線計画支援システムが作成した通路ネットワークの一例を示す。
【図５】本実施形態の施設内物流動線計画支援システムが作成した動線の一例を示す。
【図６】本実施形態の施設内物流動線計画支援システムが作成した経路図の一例を示す。
【図７】本実施形態の施設内物流動線計画支援システムが作成した集計グラフの一例を示す。
【図８】本実施形態の施設内物流動線計画支援システムのフローチャートを示す。
【発明を実施するための形態】
【００１２】
以下、図面を参照して本発明にかかる施設内物流動線計画支援システムの実施形態を説明する。ここで、施設とは、屋内、屋外、又はその両方を含んでもよい。
【００１３】
図１は、本実施形態の施設内物流動線計画支援システムの概念図を示す。
【００１４】
本実施形態の施設内物流動線計画支援システム１は、データ入力部１０と、処理部２０と、出力部３０と、を備える。
【００１５】
データ入力部１０は、少なくとも対象とする施設の諸室・設備及び任意の物品と物流が発生する任意の日時に関する施設内の物流情報を入力する物流動線データ入力部１１と、施設の形状が認識できる図面の画像データを入力する施設図面データ入力部１２と、を有する。出力部３０は、入力画面や出力結果を表示する表示部３１を有する。他に音声等を出力できるようにしてもよい。
【００１６】
物流動線データ入力部１１は、対象とする施設の基本情報、施設内の物流情報及び施設の空間情報等を入力する。施設の基本情報とは、施設名、住所、建築面積、構造、フロア数及びエレベータ数等である。施設内の物流情報とは、いつ誰が何をどこからどこまで運ぶのかという物流対象物品と施設内諸室に関する情報等である。施設の空間情報とは、動線の解析に必要な部屋等の諸室、区域、エレベータ等の設備が各フロアに存在する数等である。なお、施設の基本情報、施設内の物流情報及び施設の空間情報は、ここに記載されたものに限らず、使用者が適宜選択してもよい。
【００１７】
図２は、本実施形態の施設内物流動線計画支援システムの施設内の物流情報の入力画面の一例を示す。
【００１８】
施設内の物流情報は、運ばれる物品名、予め定められた物品の属する分類、物品の物流を担当する部門、物品を運ぶ人、物品を搬出入する諸室名、物品を運ぶ日時等を入力すればよい。図２は、施設として病院を例とし、月曜日〜金曜日の9:00から17:00に薬Ａを業者が搬入口から倉庫Ａまで運ぶことを想定している。なお、施設内の物流情報は、ここに記載されたものに限らず、使用者が適宜選択してもよい。
【００１９】
図３は、本実施形態の施設内物流動線計画支援システムに入力された施設の図面と入力された物流情報をもとに生成された施設の諸室及び設備のアイコンの一例を示す。
【００２０】
施設図面データ入力部１２は、図３に示すように、施設の形状が認識できるデータを入力する。施設が複数のフロアを有する場合、施設図面データは、フロア毎に入力する。図３に示すデータは、pdf等のイメージデータであるが、その他のデータであってもよい。
【００２１】
処理部２０は、物流動線データ入力部１１から入力されたデータを格納する物流動線データベース２１と、施設図面データ入力部１２から入力された画像データを格納する施設図面データベース２２と、画像データの画像を表示部３１に表示させ施設の諸室・設備をアイコン化して画像上に形成する通路ネットワーク描画部２３と、アイコンを画像上の的確な位置に配置させることで画像上に物流通路として利用可能な通路ネットワークを生成する通路ネットワークデータ生成部２４と、物流情報を通路ネットワークに当てはめて施設内の物品の動線を解析する動線解析部２５と、動線解析部２５が解析した物品の動線を経路図として作成し表示部に表示する経路図作成部２６と、動線解析部２５が解析した物品の動線に基づいて物品の動線距離を集計し表示部に表示する集計部２７と、を有する。
【００２２】
物流動線データベース２１には、物流動線データ入力部１１から入力されたデータが格納され、施設図面データベース２２には、施設図面データ入力部１２から入力された画像データがそれぞれ格納されている。
【００２３】
図３に示すように、通路ネットワーク描画部２３は、物流動線データベース２１に入力された動線の解析に必要な諸室、区域、エレベータ等の設備をアイコンＩｃ化して各フロアの画像Ｉｍ上に形成する。
【００２４】
また、施設が複数のフロアを有する場合、通路ネットワーク描画部２３は、施設図面データベース２２に入力された施設の各フロアの画像Ｉｍを位置合わせする。各フロアの画像Ｉｍの位置合わせは、図３に示したようなマーカーＭを用いる。マーカーＭは、各フロアの画像Ｉｍで施設の角等の決められた位置と一定距離の位置の２ヶ所に設定される。このマーカーＭを重ねることによって、各フロアの画像Ｉｍを位置合わせすることができる。また、マーカーＭを用いて座標等を画定し、その座標を用いて計算することによって、各フロアの画像Ｉｍ上の距離を計測したい任意の場所を特定することが可能となる。
【００２５】
図４は、本実施形態の施設内物流動線計画支援システムが作成した通路ネットワークの一例を示す。
【００２６】
通路ネットワークデータ生成部２４は、通路ネットワーク描画部２３によって作成されたアイコンＩｃをドラッグ等で移動させることによって、図４に示すように、各フロアの画像Ｉｍ上にアイコンＩｃを配置させる。また、施設図面の動線が通る通路部分には経路を示す線Ｌを配置させる。線Ｌが交差する部分に丸印が付き、動線のつながりが容易にチェックできるようになっている。なお、線Ｌは、それぞれのアイコンＩｃをネットワークで結ぶように自動で配置されてもよい。また、線Ｌは直線でも曲線でもよい。
【００２７】
通路ネットワークデータ生成部２４が、各フロアの画像Ｉｍに、動線の解析に必要な諸室、区域、エレベータ等の設備のアイコンＩｃ及び経路を示す線Ｌ等を描画することによって、施設の通路ネットワークモデルが完成する。
【００２８】
図５は、本実施形態の施設内物流動線計画支援システムが作成した動線の一例を示す。
【００２９】
動線解析部２５は、任意の物品が任意の日時に通過する施設内の物品の動線の最短経路を解析する。解析した動線は、図５に示すように、矢印で示される。それぞれの矢印は、区別できるように、異なった色又は線種を用いることが好ましい。
【００３０】
動線解析部２５は、表１に示すように、フロアを跨いで動線の経路及び距離を解析することも可能である。フロアを跨いで動線を解析するには、エレベータ又は階段を経由する際に、各フロアで解析した距離を加算すればよい。
【表１】
2019003490.tif 000003
【００３１】
図６は、本実施形態の施設内物流動線計画支援システムが作成した経路図の一例を示す。
【００３２】
経路図作成部２６は、動線解析部２５が解析した動線を経路図として作成し、出力部３０の表示部３１へ出力する。経路図は、図５に示した動線を見易く清書したものである。したがって、使用者は、図６を顧客等へ明示するとよい。
【００３３】
経路図作成部２６は、所定の時間に動線が重なる部分を他の部分と異なるように表示する。所定の時間に動線が重なる部分は、注意個所であるので、他の個所と区別することが好ましい。例えば、所定の時間に動線が重なる部分は、点滅等によって表示させてもよい。また、出力部３０として音声出力部を持たせて、警報等を発生するようにしてもよい。
【００３４】
このように、経路図作成部２６が所定の時間に動線が重なる部分を他の部分と異なるように表示することで、迅速に動線が重なる注意個所に気づくことができる。
【００３５】
図７は、本実施形態の施設内物流動線計画支援システムが作成した集計グラフの一例を示す。
【００３６】
集計部２７は、動線解析部２５が解析した動線の距離を以下の表２のように求め、出力部３０の表示部３１へ出力する。今回の例では、第１の施設として既存の建物を設定し、第２の施設として新築した場合の建物を設定した。そして、既存の建物で集計した距離と新築した場合の建物で集計した距離を比較した。
【表２】
2019003490.tif 000004
【００３７】
例えば、表１に示すように、清潔リネンの払出しをする際、既存の建物であれば109.8mの距離であるが。新築の建物であれば44.0mとなる。その差は-65.8mであって、新築の建物の方が60%の割合で距離が短くなるとわかる。
【００３８】
このように、集計部２７は、第１の施設で集計した距離と第２の施設で集計した距離を比較して示すことができるので、迅速に距離の差異を理解することができる。また、集計部２７は、この表１の内容を、図７に示すようにグラフに示し、出力部３０の表示部３１へ出力することも可能である。グラフに示すことによって、さらに容易に距離の差異を理解することができる。
【００３９】
次に、本実施形態の施設内物流動線計画支援システムの使用方法について説明する。
【００４０】
図８は、本実施形態の施設内物流動線計画支援システムのフローチャートを示す。
【００４１】
まず、ステップ１で、対象施設の基本情報を入力する（ＳＴ１）。対象施設の基本情報は、物流動線データ入力部１１から入力される。施設の基本情報とは、施設名、住所、建築面積、構造、フロア数及びエレベータ数等である。
【００４２】
続いて、ステップ２で、施設内の物流情報を入力する（ＳＴ２）。施設内の物流情報は、物流動線データ入力部１１から入力される。施設内の物流情報とは、いつ誰が何をどこからどこまで運ぶのかという情報等である。
【００４３】
続いて、ステップ３で、施設の空間情報を入力する（ＳＴ３）。施設の空間情報は、物流動線データ入力部１１から入力される。施設の空間情報とは、動線の解析に必要な諸室、区域、エレベータ等が各フロアに存在する数等である。
【００４４】
次に、ステップ４で、図面データの読込を実行する（ＳＴ４）。図面データは、施設図面データ入力部１２から入力される。図面データは、施設の形状が認識できるデータである。施設が複数のフロアを有する場合、データは、フロア毎に入力する。
【００４５】
ステップ１〜ステップ４の入力の順序は、変更してもよい。
【００４６】
次に、ステップ５で、諸室又は設備アイコンを作成する（ＳＴ５）。諸室又は設備アイコンは、物流動線データベース２１に入力された動線の解析に必要な諸室、区域、エレベータ等から形成される。アイコンＩｃは、通路ネットワーク描画部２３によって画像Ｉｍ上で各フロア毎に形成される。
【００４７】
次に、ステップ６で、空間ネットワークの設定及び作成を実行する（ＳＴ６）。通路ネットワーク描画部２３によって作成されたアイコンＩｃは、通路ネットワークデータ生成部２４で、ドラッグ等で移動させることによって、図５に示すように、施設図面の各フロアの画像Ｉｍ上に配置させる。通路ネットワークデータ生成部２４が、施設図面の画像Ｉｍに、動線の解析に必要な諸室、区域、エレベータ等のアイコンＩｃ及び経路を示す直線Ｌ等を描画することによって、施設の空間ネットワークモデルが完成する。
【００４８】
次に、ステップ７で、動線解析のコマンドを実行する（ＳＴ７）。動線解析は、動線解析部２５によって実行される。動線解析部２５は、任意の物品が任意の日時に通過する施設内の動線の最短経路を解析する。
【００４９】
次に、ステップ８で、動線解析の結果の経路図を出力する（ＳＴ８）。経路図は、動線解析部２５が解析した動線を基に、経路図作成部２６によって作成される。作成された経路図は、出力部３０の表示部３１へ出力する。経路図作成部２６は、所定の時間に動線が重なる部分を注意個所として点滅等によって表示させてもよい。
【００５０】
次に、ステップ９で、動線距離算定結果を出力する（ＳＴ９）。動線距離は、集計部２７によって算定される。集計部２７は、動線解析部２５が解析した動線の距離を表にまとめ、出力部３０の表示部３１へ出力する。集計部２７は、表の内容を、グラフに示して表示部３１へ出力することも可能である。また、他の施設の結果と比較することも可能である。
【００５１】
以上、本実施形態の施設内物流動線計画支援システム１は、施設内物流動線計画支援システム１は、少なくとも対象とする施設の諸室・設備及び任意の物品と物流が発生する任意の日時に関する施設内の物流情報を入力する物流動線データ入力部１１と、施設の形状が認識できる図面の画像データを入力する施設図面データ入力部１２と、物流動線データ入力部１１及び施設図面データ入力部１２から入力する際の入力画面を表示する表示部３１と、物流動線データ入力部１１から入力されたデータを格納する物流動線データベース２１と、施設図面データ入力部１２から入力された画像データを格納する施設図面データベース２２と、画像データの画像を表示部３１に表示させ施設の諸室・設備をアイコン化して画像上に形成する通路ネットワーク描画部２３と、アイコンＩｃを画像上の的確な位置に配置させることで画像上に物流通路として利用可能な通路ネットワークを生成する通路ネットワークデータ生成部２４と、物流情報を通路ネットワークに当てはめて施設内の動線を解析する動線解析部２５と、動線解析部２５が解析した物品の動線を経路図として作成し表示部３１に表示する経路図作成部２６と、動線解析部２５が解析した動線に基づいて物品の動線距離を集計し表示部３１に表示する集計部２８と、を備える。したがって、本実施形態の施設内物流経路計画支援システム１によれば、施設内の物流経路を容易に計画及び確認することが可能となる。
【００５２】
本実施形態の施設内物流動線計画支援システム１では、施設が複数のフロアを有する場合、施設図面データ入力部１２は、施設の形状が認識できる画像データをフロア毎に入力し、通路ネットワーク描画部２３は、施設の各フロアの画像を位置合わせしながら、アイコンＩｃを各フロアの画像上に形成し、動線解析部２５は、フロアを跨いで動線を解析する。したがって、本実施形態の施設内物流経路計画支援システム１によれば、複数のフロアを有する施設内の物流経路を容易に計画及び確認することが可能となる。
【００５３】
本実施形態の施設内物流動線計画支援システム１では、集計部２７は、第１の施設で集計した距離と第２の施設で集計した距離を比較して表示部３１に出力することが可能である。したがって、本実施形態の施設内物流経路計画支援システム１によれば、迅速に距離の差異を理解することができる。
【００５４】
本実施形態の施設内物流動線計画支援システム１では、経路図作成部２６は、所定の時間に動線が重なる部分を他の部分と異なるように前記表示部に表示する。したがって、本実施形態の施設内物流経路計画支援システム１によれば、迅速に動線が重なる注意個所に気づくことができる。
【００５５】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【００５６】
１…施設内物流動線計画支援システム
１０…データ入力部
１１…物流動線データ入力部
１２…施設図面データ入力部
２０…処理部
２１…物流動線データベース
２２…施設図面データベース
２３…通路ネットワーク描画部
２４…通路ネットワーク生成部
２５…動線解析部
２６…経路図作成部
２７…集計部
３０…出力部
３１…表示部
【図１】
2019003490.tif 000005
【図２】
2019003490.tif 000006
【図３】
2019003490.tif 000007
【図４】
2019003490.tif 000008
【図５】
2019003490.tif 000009
【図６】
2019003490.tif 000010
【図７】
2019003490.tif 000011
【図８】
2019003490.tif 000012